(57)【要約】【課題】  エレベータの昇降路壁等にアンカーボルトの打設を必要とせず、昇降路内に立設されたガイドレール上端部への着脱を容易に行うことができるエレベータの揚重装置を得る。【解決手段】  エレベータ昇降路内に立設され、昇降路の固定体に固定されるフランジ部及びこのフランジ部の前面側から突出するガイド部を有するガイドレールと、このガイドレールの上端部に掛止され、ガイドレールの上面及びフランジ部の背面及びフランジ部の前面にそれぞれ接触する掛止部と、掛止部に設けられた吊孔と、この吊孔を介して懸吊された揚重機とを備える。【選択図】      図４
2005298148.tif 000002
【特許請求の範囲】
【請求項１】
エレベータ昇降路内に立設され、前記昇降路の固定体に固定されるフランジ部及びこのフランジ部の前面側から突出するガイド部を有するガイドレールと、このガイドレールの上端部に掛止され、前記ガイドレールの上面及び前記フランジ部の背面及び前記フランジ部の前面にそれぞれ接触する掛止部と、前記掛止部に設けられた吊孔と、この吊孔を介して懸吊された揚重機とを備えたことを特徴とするエレベータの揚重装置。
【請求項２】
エレベータ昇降路内に立設され、前記昇降路の固定体に固定されるフランジ部及びこのフランジ部の前面側から突出するガイド部を有するガイドレールと、このガイドレールの上端部に掛止され、前記ガイドレールの上面及び前記フランジ部の背面及び前記フランジ部の前面にそれぞれ接触する掛止部と、一端部が前記掛止部に回動可能に設けられたアームと、このアームに設けられ、前記アームの回動によって吊位置を変更することができる吊孔とを備えたことを特徴とするエレベータの揚重装置。
【請求項３】
エレベータ昇降路内に立設され、前記昇降路の固定体に固定されるフランジ部及びこのフランジ部の前面側から突出するガイド部を有するガイドレールと、このガイドレールの上端部に掛止され、前記ガイドレールの上面及び前記フランジ部の背面及び前記フランジ部の前面にそれぞれ接触する掛止部と、一端部が前記掛止部に回動可能に設けられたアームと、このアームに設けられ、前記アームの回動によって吊位置を変更することができる吊孔と、前記掛止部に設けられ、吊位置が固定された吊穴とを備えたことを特徴とするエレベータの揚重装置。
【請求項４】
アームには、その下部に吊孔が設けられた所定の長さを有する吊板が懸吊されていることを特徴とする請求項２又は請求項３に記載のエレベータの揚重装置。
【請求項５】
掛止部は、ガイドレールのガイド部と僅かな間隙を有して対向するように前記ガイド部の両側に配置される案内部が備えられたことを特徴とする請求項１から請求項４の何れかに記載のエレベータの揚重装置。
【発明の詳細な説明】
【技術分野】
【０００１】
この発明は、エレベータの機材等を昇降路内を通じて各階乗場又はピット部へ揚重する揚重装置に関するものである。
【背景技術】
【０００２】
エレベータのかごに連結された主索を交換する際に使用される従来のエレベータのかご吊り治具には、横断面が凸形状を呈するかご用ガイドレール先端上面に係合するようにその先端背面に装着される縦断面が逆Ｌ字状の基板と、この基板及びかご用ガイドレールを固定するレールクリップと、かごを牽引するロープを掛止する孔を有し、かご用ガイドレールの凸状面に係合してかご用ガイドレールを挟持するように基板に固定される掛止部とを備え、レールクリップ及びボルトによってかご用ガイドレールの先端に脱着可能に固定されるものがある（例えば、特許文献１参照）。
【０００３】
【特許文献１】特許第３４６４６２８号公報
【発明の開示】
【発明が解決しようとする課題】
【０００４】
特許文献１記載のかご吊り治具を使用したエレベータの主索の交換作業においては、かご用ガイドレール上端部に設けられたかご吊り治具とかごの上梁との間を玉掛けロープ及びチェーンブロックによって連結し、かごの重量を全てかご用ガイドレールに作用させることができるため、機械室が設けられていないエレベータ装置や、機械室の機械台の構造上、玉掛けロープの掛止場所に制限があるエレベータ装置でも、容易にかごを懸吊して主索の交換作業を行うことが可能となる。しかし、このかご吊り治具を使用した主索の交換作業では、かご吊り治具をかご用ガイドレールの上端部に固定する際に、作業員が足場の悪いかご上面に乗ってレールクリップやボルト等の締結作業を行う必要があるため、その取付に時間と手間とを要することとなっていた。また、玉掛けロープ等を取り付ける孔（吊孔）が、かご用ガイドレールに極めて近い場所に設けられてその位置が制限されているため、上述した主索の交換以外の用途、例えば、他のエレベータ機器を揚重する場合等には使用することができないという問題も生じていた。
【０００５】
なお、エレベータの機材等を昇降路内を通じて揚重する場合、昇降路壁にアンカーボルトを打設して、このアンカーボルトにアングルピース等の吊りフックを設置する方法も従来より行われているが、既設のエレベータ装置においては、アンカーボルト打設時に発生するコンクリートドリル等の騒音が大きな問題となっていた。
【０００６】
この発明は、上述のような課題を解決するためになされたもので、その目的は、エレベータの昇降路壁等にアンカーボルトの打設を必要とせず、昇降路内に立設されたガイドレール上端部への着脱を容易に行うことができるエレベータの揚重装置を提供することである。
【課題を解決するための手段】
【０００７】
この発明に係るエレベータの揚重装置は、エレベータ昇降路内に立設され、昇降路の固定体に固定されるフランジ部及びこのフランジ部の前面側から突出するガイド部を有するガイドレールと、このガイドレールの上端部に掛止され、ガイドレールの上面及びフランジ部の背面及びフランジ部の前面にそれぞれ接触する掛止部と、掛止部に設けられた吊孔と、この吊孔を介して懸吊された揚重機とを備えたものである。
【発明の効果】
【０００８】
この発明は、エレベータ昇降路内に立設され、昇降路の固定体に固定されるフランジ部及びこのフランジ部の前面側から突出するガイド部を有するガイドレールと、このガイドレールの上端部に掛止され、ガイドレールの上面及びフランジ部の背面及びフランジ部の前面にそれぞれ接触する掛止部と、掛止部に設けられた吊孔と、この吊孔を介して懸吊された揚重機とを備える構成としたことで、エレベータの昇降路壁等にアンカーボルトの打設を必要とせず、昇降路内に立設されたガイドレール上端部への着脱を容易に行うことができる。
【発明を実施するための最良の形態】
【０００９】
実施の形態１．
図１はこの発明の実施の形態１におけるエレベータの揚重装置の側面図、図２はその平面図である。図において、（取付金の説明）その上部及び下部が互いに対向するように略コ字状に曲成された掛止部からなる取付金１は、この上部及び下部のそれぞれの端部がさらに下方に曲成されている。そして、この取付金１は、エレベータ昇降路内に立設された断面が略Ｔ字状を呈するかご用ガイドレール２の、昇降路の固定体に固定されるフランジ部２ａの幅よりも僅かに小さな幅を有している。また、取付金１の下部の中央部には、所定の幅を有する切欠部（図示せず）が、その端部から側部に渡って形成されている。そして、この取付金１は、この切欠部にかご用ガイドレール２のフランジ部２ａの前面側から突出するガイド部２ｂが配置されるとともに、下方に曲成された上端部がかご用ガイドレール２のフランジ部２ａの背面に、また、下方に曲成された下端部がかご用ガイドレール２のフランジ部２ａの前面に、さらに、コ字状の上部下面がかご用ガイドレール２の上面に接触するように配置されて、かご用ガイドレール２の上端部に掛止されている。ここで、取付金１の下方に曲成された下端部は、下方に曲成された上端部よりも下方となる位置でかご用ガイドレール２のフランジ部２ａに接触するとともに、かご用ガイドレール２のガイド部２ｂを挟んで両側のフランジ部２ａ前面に接触している。また、コ字状内部の上下両角部には、かご用ガイドレール２のガイド部２ｂの幅よりも僅かに大きな間隔を有する略三角形状の案内部からなる平行板１ａがそれぞれ上下方向に配置されており、上方の平行板１ａは取付金１の上部下面と側部内面とに、また、下方の平行板１ａは下部上面と側部内面とにそれぞれ溶接固定されている。なお、取付金１の上下両角部に設けられたそれぞれの平行板１ａは、かご用ガイドレール２のガイド部２ｂの両側面とそれぞれ僅かな間隙を有して対向するようにこのガイド部２ｂの両側に配置されている。
【００１０】
なお、図３はこの発明の実施の形態１におけるエレベータの揚重装置を説明するための要部平面図であり、図１及び図２のかご用ガイドレール２と比較して、そのガイド部２ｂの幅Ｓが同等で、且つ、ガイド部２ｂの高さＨが低いかご用ガイドレール２に装着した場合を示したものである。
【００１１】
（アーム台と補強板の説明）上部及び下部が互いに対向するように略コ字状に曲成されたアーム台３は、その側部外面が取付金１の側部外面と対向するように取付金１に設けられている。ここで、アーム台３は、取付金１よりも上下方向に短く、取付金１の上方側に配置されており、その下部は、上部よりも反かご用ガイドレール２側に大きく突出している。また、このアーム台３の下部下面と取付金１の側部外面とには、所定の間隔を有する平行な２枚の補強板４が上下方向に溶接固定されており、この補強板４の下部には、かご用ガイドレール２からの距離がそれぞれ異なる複数の吊孔４ａが形成されている。
【００１２】
（アームの説明）かご用ガイドレール２とほぼ直角を成すように略水平に設けられた所定の長さを有するアーム５は、かご用ガイドレール２側一端部が、端部側に向かうに従って下方に広がるように略三角形状を呈しており、この一端部には、上面から下面に渡って上下方向に貫通孔（図示せず）が設けられている。そして、この貫通孔に挿通された軸６の上下端部がそれぞれアーム台３の上部と下部とに固定されることによって、アーム５の一端部がアーム台３に回動可能に固定されている。なお、このアーム５は、アーム台３の側部に接触するまで回動することができるため、１８０度以上の回動範囲を有することとなる。また、アーム５の他端部には、その下部にかご用ガイドレール２からの距離がそれぞれ異なる複数の吊孔７ａが形成された吊金７が設けられており、アーム５の回動によってこの吊穴７ａの位置が様々な場所に設定される。アーム５の下方に設けられたこの吊孔７ａのうち、かご用ガイドレール２から最も離れた位置にある吊孔７ａには、シャックル８ａが取り付けられており、このシャックル８ａに所定の長さを有する吊板９が懸吊されている。なお、この吊板９の長さは、かごが昇降路上端部に停止した際に、下端部に設けられた吊孔９ａがかご上面から所定の高さとなるように設定されている。
【００１３】
次に、上記揚重装置を使用してエレベータ機器を揚重する場合について説明する。
（動作）図４はこの発明の実施の形態１におけるエレベータの揚重装置の動作を説明するための正面図、図５は図４におけるエレベータの揚重装置の平面図である。図において、軸６を中心として回動可能にアーム台３に固定されたアーム５は、図１及び図２の状態から約９０度回転しており、かご用ガイドレール２の側方に吊金７の吊孔７ａが配置されている。また、かご用ガイドレール２の側方で懸吊された吊板９の吊孔９ａにはシャックル８ｂが取り付けられており、このシャックル８ｂにエレベータの機器等を揚重する揚重機からなるホイスト１０が懸吊されている。このようにホイスト１０等を懸吊して揚重作業を行う場合には、先ず、かごの上面に乗った作業員がかご用ガイドレール２の上端部に揚重装置を被せるように取り付ける。その後、取付作業に適した高さに設定された吊板９の吊孔９ａにホイスト１０を取り付け、ホイスト１０が吊り位置上方となるようにアーム５を回転させてホイスト１０を移動させる。
【００１４】
この発明の実施の形態１によれば、かご用ガイドレール２の上端部に被せるように掛止された揚重装置は、かご用ガイドレール２の上面及びそのフランジ部２ａの背面と前面とに接触するのみで、その取り付け及び取り外しに際しレールクリップやボルト等の締結作業を必要としないため、揚重作業に必要な時間を大幅に短縮することが可能となる。さらに、取付金１の平行板１ａ間にかご用ガイドレール２のガイド部２ｂが配置される構成を有しているため、かご用ガイドレール２の上端部に設置する際に容易に適正な位置に配置することができるとともに、設置後の位置ずれも防止することができる。また、取付金１に回動可能に設けられたアーム５には、アーム５を回動することによってその位置を自由に変更することができる吊孔７ａが形成されているため、昇降路内に既に設置されたエレベータ機器等の配置に合わせてその吊り位置を設定することができる。このため、かご等が設置されている既設のエレベータ装置で使用する場合等には、作業性に優れ、特に有効な手段となる。なお、主索の交換作業の場合等には、取付金１のかご用ガイドレール２近傍に設けられた吊孔４ａを使用してかごを懸吊することも可能であり、かご用ガイドレール２の近傍に設けられ、吊位置が固定された吊孔４ａと、かご用ガイドレール２から所定の距離離れた場所に設けられ、吊位置を自由に設定することができる吊孔７ａとを用途に合わせて使用することができる。
【００１５】
また、この発明の実施の形態１では、揚重装置をかご用ガイドレール２の上端部に取り付ける場合について説明したが、この揚重装置は、断面がＴ字状を呈するガイドレールの上面及びそのフランジ部２ａの背面と前面とに接触することによって掛止されているため、例えば、ガイド部２ｂの高さＨが異なる釣合い重り用のガイドレール等の上端部に掛止することも可能であり、種々のガイドレールに共通して使用することができる。
【図面の簡単な説明】
【００１６】
【図１】この発明の実施の形態１におけるエレベータの揚重装置の側面図である。
【図２】この発明の実施の形態１におけるエレベータの揚重装置の平面図である。
【図３】この発明の実施の形態１におけるエレベータの揚重装置を説明するための要部平面図である。
【図４】この発明の実施の形態１におけるエレベータの揚重装置の動作を説明するための正面図である。
【図５】この発明の実施の形態１におけるエレベータの揚重装置の動作を説明するための平面図である。
【符号の説明】
【００１７】
１  取付金
１ａ  平行板
２  かご用ガイドレール
２ａ  フランジ部
２ｂ  ガイド部
３  アーム台
４  補強板
４ａ、７ａ、９ａ  吊孔
５  アーム
６  軸
７  吊金
８ａ、８ｂ  シャックル
９  吊板
１０  ホイスト
【図１】
2005298148.tif 000003
【図２】
2005298148.tif 000004
【図３】
2005298148.tif 000005
【図４】
2005298148.tif 000006
【図５】
2005298148.tif 000007